(57)【要約】【課題】鉄筋コンクリート構造物に連続直状孔を穿設中に、孔に曲がり部が生じた時に、その曲がり部をなくして上記連続直状孔を延長する方向に正確に穿孔していくことができる穿孔方法を提供する。【解決手段】穿孔用ロッド１１によって鉄筋コンクリート構造物Ａに連続直状孔１を穿設中において、鉄筋ａの存在により穿孔に曲がり部１ａが生じた時には、穿孔用ロッド１１を引き抜いて拡孔ビット２２の挿入により該曲がり部１ａを拡大させたのち、この拡大穿孔部Ｂに硬化材Ｃを充填、硬化させ、しかるのち、再び、上記穿孔用ロッド１１を上記既設の連続直状孔１に挿入して硬化材Ｃにこの連続直状孔１から直状に連通する孔を穿孔する。【選択図】　　図１
2004009703.tif 000002
【特許請求の範囲】
【請求項１】
被穿孔対象物に孔を連続直線状に穿設する方法であって、穿孔装置によって穿設される孔に曲がりが生じた場合にその曲がり部を検知したのち、該曲がり部を拡大穿孔してこの拡大穿孔部に硬化材を充填し、硬化材の硬化後に上記穿孔装置によってこの硬化材に既設の連続直状孔を延長する方向に孔を直状に穿設することを特徴とする連続直状孔の穿孔方法。
【請求項２】
鉄筋コンクリート構造物に穿孔装置によって孔を連続直線状に穿設する際に、穿孔される連続直状孔上に埋設鉄筋の存在が検知された場合、この鉄筋埋設部を拡大穿孔して該拡大穿孔部に硬化材を充填し、硬化材の硬化後に上記穿孔装置によってこの硬化材に既設の連続直状孔を延長する方向に孔を直状に穿設することを特徴とする連続直状孔の穿孔方法。
【発明の詳細な説明】
【０００１】
【発明の属する技術分野】
本発明は、鉄筋コンクリート構造物などの被穿孔対象物に真っ直ぐな孔を連続直状に穿設する方法に関するものである。
【０００２】
【従来の技術】
従来から、既設の鉄筋コンクリート構造物中に配管類等を通す場合、該鉄筋コンクリート構造物に予め、配管類等を挿通させるための連続直状の孔をボーリング機を用いて穿設することが行われている。
【０００３】
ボーリング機は、先端にビットを装着しているロッドを軸心方向に推進力を与えながら回転させることにより被穿孔対象物に穿孔を行うもので、この穿孔の際に、被穿孔対象物における穿孔すべき部分に強度差がある場合、例えば、被穿孔対象物が鉄筋コンクリート構造物の場合であって、その鉄筋埋設部分を穿孔する場合や硬い層部分と軟らかい層とが並存している場合、或いは、亀裂が発生している場合等においては、回転しながら推進中のロッド先端に装着しているビットが、強度の弱い方へ曲がりながら穿孔する事態が生じる。
【０００４】
このように、連続直状孔を穿設中に部分的に曲がり部が発生すると、穿孔後に該孔に上記配管類等を挿通する作業が行うことができないことになる。このため、例えば、特開２０００−１４０５７６に記載されているように、ボーリング機によって被穿孔対象物に穿孔を行った時に、孔に曲がり部が生じると、ボーリング機の中空ロッドの先端部内に円筒形状の錘を周方向に転動自在に収納している曲がり修正具を用いてその錘の重量の軽重と転動方向を変化させながら該曲がり部を真っ直ぐな孔に修正することが行われている。
【０００５】
【発明が解決しようとする課題】
しかしながら、このような孔の曲がり部修正方法では、ロッドの先端部を孔の曲がり方向と逆方向の孔壁面に押し付けながら該孔壁を切削するものであるから、その切削程度を調整することが極めて困難であり、曲がりが十分に修正されなかったり、或いは必要以上に修正されて逆方向に曲がりが生じたりして既設の直線状孔を延長する直線方向に正確に穿孔することができないという問題点があった。
【０００６】
本発明はこのような問題点に鑑みてなされたもので、その目的とするところは、鉄筋コンクリート構造物や岩盤等の被穿孔対象物に連続直状の孔を穿設する場合において、孔の一部分に曲がりが生じた時にその曲がり部を既に穿設している直状孔を延長する方向に正確に連続した直状の孔に形成することができる連続直状孔の穿孔方法を提供するにある。
【０００７】
【課題を解決するための手段】
上記目的を達成するために、本発明の連続直状孔の穿孔方法は、請求項１に記載したように、被穿孔対象物に孔を連続直線状に穿設する方法であって、穿孔装置によって穿設される孔に曲がりが生じた場合にその曲がり部を検知したのち、該曲がり部を拡大穿孔してこの拡大穿孔部に硬化材を充填し、硬化材の硬化後に上記穿孔装置によって硬化材に既設の連続直状孔を延長する方向に孔を直状に穿設することを特徴とする。
【０００８】
また、請求項２に係る発明は、鉄筋コンクリート構造物に穿孔装置によって孔を連続直線状に穿設する際に、穿孔される連続直状孔上に埋設鉄筋の存在が検知された場合、この鉄筋埋設部を拡大穿孔して該拡大穿孔部に硬化材を充填し、硬化材の硬化後に上記穿孔装置によって硬化材に既設の連続直状孔を延長する方向に孔を直状に穿設することを特徴とする。
【０００９】
【作用】
ロッドの先端に切削ビットを設けている穿孔装置によって被穿孔対象物に所定径を有する孔を連続直線状に穿設する。この孔の穿設途中において、孔に曲がりが生じた場合、その曲がり部を穿孔装置に配設している検知手段によって検出させ、穿孔装置のロッドを該孔から一旦、抜き取る。しかるのち、穿孔装置のロッド先端又は別なロッドの先端に拡孔ビットを装着してこのロッドを上記孔を通じて曲がり部まで挿入し、曲がり部の周囲を拡孔ビットにより拡径、掘削して拡大穿孔部を形成する。
【００１０】
次いで、この拡大穿孔部内に上記穿孔装置の掘削ビットによって穿孔可能な強度を有する硬化材を充填し、この硬化材の硬化後、再び、穿孔装置のロッドを孔内に挿入して回転させながら推進させることにより、その先端の切削ビットによって硬化材に、該硬化材まで穿孔装置のロッドを挿入させている既設の連続直状孔を延長する方向に直状の孔を穿設する。なお、穿孔装置により穿設される孔の曲がり部の検知は、穿孔装置によって所定長さの孔を穿設したのちに行ってもよく、或いは、最後まで穿孔したのちに検知してもよいものであり、曲がり部の検知後に上記拡孔ビットによる曲がり部の拡大穿孔部の掘削と、この拡大穿孔部内への硬化材の充填、硬化後における穿孔を行えばよい。
【００１１】
また、被穿孔対象物が鉄筋コンクリート構造物である場合においては、鉄筋コンクリート構造物に埋設されている鉄筋が計画穿孔線上に存在すると、穿孔装置の先端切削ビットによって該鉄筋部を切削する際に、鉄筋部側がコンクリート部側よりも切削抵抗が大きいので、切削ビットがコンクリート部側に曲がりながら穿孔していく事態が発生する。この場合、上記のように、切削ビットにより鉄筋を切除しながら孔の曲がり部を形成したのち、この曲がり部を拡径、掘削してもよいが、鉄筋コンクリート構造物に連続直状孔を穿孔しながら切削ビットが鉄筋存在部分に達した時に、この鉄筋の存在を検出して曲がり部を穿孔する前に拡孔ビットによって拡大穿孔部を掘削し、以下、上記同様に、該拡大穿孔部に硬化材を充填して硬化後にこの硬化材に既設の連続直状孔に連通する直状の孔を穿設してもよい。
【００１２】
【発明の実施の形態】
次に本発明の具体的な実施の形態を図面について説明する。図１は被穿孔対象物が鉄筋コンクリート構造物Ａであって、この鉄筋コンクリート構造物Ａに穿孔装置１０を用いて所定径を有する真っ直ぐな孔、即ち、連続直状孔１を穿孔している状態を示している。上記穿孔装置１０は、定尺で一定径を有し且つ順次連結することによって長尺に形成し得るコアーチューブと称されるロッド１１と、最先端側のロッド１１の先端部に着脱自在に装着している切削ビット１２と、最後部のロッド１１の基端部を掴持するスイベルジョイント１３と、このスイベルジョイント１３を介してロッド１１を回転駆動する油圧モータ１４と、ロッド１１を推進させる推進機構１５と、ロッドガイド１６及びロッドクランプ１７とから構成している。
【００１３】
上記油圧モータ１４はスイベルジョイント１３の背面に一体に取付けられてあり、スイベルジョイント１４は推進機構１５によって前後方向（ロッドの長さ方向）に移動させられる移動台１８上に固定されている。この移動台１８は、穿孔装置１０の固定機台１９上に前後方向に水平に敷設したレール２０上に前後移動自在に配設されている一方、上記推進機構１５は固定機台１９の前後部に回転自在に軸支された前後スプロケット１５ａ　、１５ｂ　間にフィードチェーン１５ｃ　を掛け渡し、このフィードチェーン１５ｃ　を上記移動台１８に連結して油圧シリンダ１５ｄ　により移動台１８を前後動させるように構成している。
【００１４】
また、上記ロッドガイド１６及びロッドクランプ１７は固定機台１９の先端部（前端部）にロッドクランプ１７を前側にして立設してあり、上記スイベルジョイント１３によって掴持されるロッド１１をその軸線上で該ロッドガイド１６により前後移動可能に支持させると共にロッドクランプ１７によってロッド１１の連結時における挟着を行うようにしている。
【００１５】
このように構成した穿孔装置１０を使用して鉄筋コンクリート構造物Ａの所定個所に前後面に貫通する連続直状孔１を穿孔するには、まず、穿孔装置１０の固定機台１９を鉄筋コンクリート構造物Ａの一方の面（図においては後面）側の近傍部に設置、固定したのち、油圧モータ１４を駆動してスイベルジョイント１３に基端部を掴持されたロッド１１を回転させると共に推進機構１５の油圧シリンダ１５ａ　を作動させて移動台１８を前方に向かって徐々に移動させていくと、ロッドガイド１６に挿通、支持されている上記ロッド１１の先端に装着した切削ビット１２が鉄筋コンクリート構造物Ａの壁面に当接したのち、ロッド１１の回転力と軸心方向の推進力とによって鉄筋コンクリート構造物Ａに前方に向かって一定径の孔１を連続直線状に穿孔していく。
【００１６】
そして、一本のロッド１１の長さに略相当する長さの連続直状孔１が穿孔されると、スイベルジョイント１３によるこのロッド１１の掴持を解くと共に該ロッド１１の基端部をロッドクランプ１７により固定させ、推進機構１５によって移動台１８を後退させたのち、上記ロッド１１の基端に次の一定長さのロッド１１の先端を連結させると共にこのロッド１１の基端部をスイベルジョイント１３に掴持させたのち、再び、上記同様にしてロッド１１を回転させながら推進させることにより、連続直状孔１を穿孔する。
【００１７】
このように、定尺のロッド１１を順次継ぎ足すことによって鉄筋コンクリート構造物Ａに前後壁面間に貫通する水平の連続直状孔１を穿孔するものであるが、鉄筋コンクリート構造物Ａの前後壁面間の長さが長大である場合には、前後壁面側から穿孔装置１０によって水平の連続直状孔１、１を穿設し、鉄筋コンクリート構造物Ａの中間部でこれらの連続直状孔１、１を同一直線上で連通させればよい。また、ロッド１１はコアーチューブであって、切削ビット１２により切削された鉄筋コンクリート構造物部分が円柱状となって該ロッド１１内に取り込まれるので、長い連続直状孔１を穿孔する場合には、ロッド１１の長さに相当する長さの孔１が穿孔される毎に、一旦、連続直状孔１から最前端部のロッド１１まで全長に亘って引き抜いてロッド１１の連結を解いたのち、最前端部のロッド１１内に取り込んでいる円柱状のコンクリート塊を抜き取り、再び、ロッド１１を順次、連結しながら連続直状孔１内に挿入し、連続直状孔１の穿設を行うものである。
【００１８】
穿孔装置１０による上記連続直状孔１の穿孔中において、鉄筋コンクリート構造物Ａの穿孔すべき部分に強度差がある場合、例えば、図２に示すように、鉄筋ａの埋設部が存在した場合には、この鉄筋埋設部をロッド１１の先端に装着している切削ビット１２によって切削していくと、切削ビット１２が該鉄筋ａから逃げる方向に偏向してロッド１１の先端部が弱体部側に曲がりながら穿孔し、それまで水平直線状に穿孔された連続直状孔１に曲がり部１ａが生じることになる。
【００１９】
この曲がり部１ａの検出は、ロッド１１の回転トルクや推力等の穿孔状態をロードセル等の検出手段によって検知したり、或いは、ロッドの中空内部を通じてロッド内の先端に装着しているターゲットの中心位置を測定することによって検出することができる。
【００２０】
このような曲がり部１ａが検出されると、穿孔装置１０の移動台１０を後退させてロッド１１を既に穿孔した孔１、即ち、既設の連続直状孔１から抜き取り、先端に切削ビット１２を装着している最前端のロッド１１に代えて図３に示すように、先端部に拡孔ビット２２を装着している中空ロッド２１を連結する。この中空ロッド２１は上記ロッド１１と同一外径で同一長さに形成されていると共にその先端部内に拡孔ビット２２を拡縮させる拡縮機構を配設している。拡孔ビット２２は中空ロッド２１の先端部を周方向に複数分割することによって形成された内外方向に拡縮可能な分割片２３の先端に装着されてあり、各分割片２３の内面は先端（前端）に向かって徐々に小径となるテーパ面２４に形成されている。
【００２１】
この拡孔ビット２２を拡縮させる拡縮機構は、中空ロッド２１の先端部をシリンダ部２５に形成して該シリンダ部２５内に前後摺動自在に配設したピストン２６のロッド２７の先端に、外周面を上記全ての分割片２３のテーパ面２４に圧接したテーパ面に形成している截頭円錐形状の楔体２８を一体に固着し、この楔体２８を常態においてはシリンダ部２５内に圧入しているスプリング２９の弾発力によって後退させて分割片２３をこれらの分割片２３自体の弾性復元力によって中空ロッド２１の外径に等しい径まで縮小させている一方、スイベルジョイント１３側に掴持されているロッド１１の中空内部を通じて中空ロッド２１内に加圧水を注入することにより、その水圧でピストン２６の背面を押圧して楔体２８を前進させ、分割片２３を外方に屈折させて切削ビット１２を拡径させるように構成している。
【００２２】
そして、この中空ロッド２１を鉄筋コンクリート構造物Ａの後端面から連続直状孔１（以下、この孔を既設の連続直状孔１という）に挿入すると共にこの中空ロッド２１に順次、ロッド１１を上記同様にして継ぎ足すことにより、拡孔ビット２２を上記曲がり部１ａに達するまで挿入する。
【００２３】
しかるのち、油圧モータ１４を駆動してスイベルジョイント１３に基端部を掴持されたロッド１１を介して直列に連結している上記中空ロッド２１を回転させると共に中空ロッド２１内に加圧水を注入することにより、ピストン２５をスプリング２９の力に抗して前進させてロッド１１を介して楔体２８を一体に前進させ、図４に示すように分割片２３をピーチ状に拡大させて拡孔ビット２２を本来穿孔されるべき穿孔計画線上の位置において既設連続直状孔１の径よりも大径となるように、好ましくは曲がり部１ａを全て含む大径に拡径させ、曲がり部１ａを拡大、掘削する。
【００２４】
さらに、穿孔装置１０の推進機構１５を駆動してロッド１１を介して中空ロッド２１を推進させることにより、拡径した拡孔ビット２２を前進させて上記曲がり部１ａを全長に亘って拡径させて図５に示すように拡大穿孔部Ｂを掘削、形成する。なお、拡縮機構には、そのピストン２６の後面中央部からピストンロッド２７内を通じて楔体２８の先端面中央にまで連通する小径貫通孔３０が穿設されてあり、この小径貫通孔３０を通じて加圧水の一部を掘削される拡大掘削部Ｂ内に供給し、拡孔ビット２２により切削された切削片や切削屑をロッド１１、２１の外周面と既設連続直状孔１の孔壁間の隙間を通じて外部に排出するように構成している。
【００２５】
こうして、拡孔ビット２２により曲がり部１ａを拡大した拡大穿孔部Ｂを形成した後、拡孔ビット２２を縮径させてロッド１１、中空ロッド２１を順次、既設の連続直状孔１から抜き取って撤去し、次いで、この連続直状孔１内に該連続直状孔１よりも小径（外径が上記コアチューブからなるロッド１１の内径よりも小径）の硬化材注入パイプ３１を挿入して図６に示すように、その先端ノズル部３１ａ　を拡大穿孔部Ｂ内に突出させ、注入パイプ３１内に鉄筋コンクリート構造物外から硬化材Ｃを供給して先端ノズル部３１ａ　から拡大穿孔部Ｂ内に注入、充填する。
【００２６】
硬化材Ｃとしては、セメントと砂とを混練したモルタル、或いはこのモルタルにベントナイトを添加した材料や、水ガラスと砂との混合物であってもよく、要するに、均質なものであって且つ注入時には流動性を有する液体状であって注入後、一定時間経過すれば硬化するものであればよい。なお、この硬化材Ｃの硬化時間を短くするために、速硬性のものを用いるのが望ましい。この硬化材Ｃの注入は、孔外にミキサー（図示せず）を設置し、このミキサーによって混練してポンプ駆動により注入パイプ３１に供給することによって行われる。
【００２７】
拡大穿孔部Ｂ内に対する硬化材Ｃは、拡大穿孔部Ｂ内において弱体部が形成されないように全体が均一な強度を有する密実に充填する必要がある。また、既設の連続直状孔１に面している充填硬化材Ｃの端面も孔軸方向に対して直角になる方がこの充填硬化材Ｃを上記切削ビット１２によって再び穿孔する際に、該切削ビット１２の直進性を保つために望ましいが、必ずしもこのように充填しておく必要はなく、例えば、モルタルでも貧配合のものであれば、切削ビット１２によって容易に穿孔することができる。
【００２８】
なお、注入パイプ３１の外周面に先端が先端ノズル部３１ａ　の基端後方部にまで達している小径の排気管３３を添設しておき、拡大穿孔部Ｂ内に硬化材Ｃが充填されるに従って、該拡大穿孔部Ｂ内の空気を外部に排出して硬化材Ｃを緻密に充填するようにしている。
【００２９】
また、拡大穿孔部Ｂの長さと孔径とから硬化材Ｃの充填量が決定することができるので、先端ノズル部３１ａ　から拡大穿孔部Ｂ内に硬化材Ｃを充填するに従って注入パイプ３１を徐々に後退させて該先端ノズル部３１ａ　を拡大穿孔部Ｂの奥側から既設の連続直状孔１に向かって徐々に引き戻し、充填後、注入パイプ３１と共に連続直状孔１を通じて引き抜いてもよいが、この拡大穿孔部Ｂの位置や硬化材Ｃの充填状態を外部から確認することができないので、連続直状孔１内から挿入した注入パイプ３１の先端ノズル部３１ａ　を拡大穿孔部Ｂの底面（奥底面）に当接させたのち、僅かに後退させて拡大穿孔部Ｂの中央部内に配設し、この状態で硬化材Ｃを拡大穿孔部Ｂ内に圧密状態に充填させ、充填後、注入パイプ３１を回転させて該注入パイプ３１の先端部に螺合している上記先端ノズル部３１ａ　を切り離すことにより充填した硬化材Ｃ内に残しておき、注入パイプ３１のみを抜き取り、撤去して上記先端ノズル部３１ａ　は硬化材Ｃをコアチューブからなるロッド１１の先端切削ビット１２により切削する際に、該ロッド１１内に取り込むようにしている。
【００３０】
なお、このような拡大穿孔部Ｂ内に対する硬化材Ｃの充填は、注入パイプ３１を使用することなく、上記拡孔ビット２２を設けた中空ロッド２１を利用して行ってもよい。即ち、この中空ロッド２１の先端部に設けている拡孔ビット２２によって上述したように拡大穿孔部Ｂを掘削、形成したのち、該中空ロッド２１を連続直状孔１から引き抜く際に、拡縮機構のピストン２６の後端から楔体２８の前端まで貫通している小径貫通孔３０を通じて硬化材Ｃを拡大穿孔部Ｂ内に充填してもよい。このように中空ロッド２１を使用して硬化材Ｃの充填を行えば、上記注入パイプ３１の挿入、充填工程を省略することができる。
【００３１】
こうして、拡大穿孔部Ｂ内に硬化材Ｃを充填して硬化させたのち、再び、既設の連続直状孔１内を通じて先端に切削ビット１２を装着しているロッド１１を挿入し、必要に応じてロッド１１を継ぎ足すことにより切削ビット１２が拡大穿孔部Ｂに達するまでのロッド長としたのち、スイベルジョイント１３を回転駆動すると共に推進機構１５を作動させてロッド１１を管軸方向に推進させ、図７に示すように、切削ビット１２により硬化材Ｃの中心部に既設の連続直状孔１を延長する方向に該連続直状孔１と同径の孔１ｂを直状に穿設する。
【００３２】
この場合、拡大穿孔部Ｂに硬化材Ｃが充填されていないと、ロッド１１の先端部が拡大穿孔部Ｂ内に突出した際に、その自重によって下向きに偏向して拡大穿孔部Ｂの奥底から切削ビット１２により孔が切削される時に、該孔の中心が既設の連続直状孔１の中心から変位する虞れがあるので、上述したように該拡大穿孔部Ｂ内に硬化材Ｃを充填しておき、切削ビット１２によって穿孔される孔にロッド１１の先端部を直状に支持させながら穿孔していくものである。
【００３３】
このように、硬化材Ｃを貫通して直状の孔１ｂを穿孔したのち、さらにロッド１１を回転させながら推進させて硬化材Ｃから鉄筋コンクリート構造物Ａ内に切削ビット１２により連続直状孔１を穿設し、この連続直状孔１の穿設中に曲がり部１ａが生じた場合には、再び、上記同様にして該曲がり部１ａを拡径させ、その拡大穿孔部Ｂに硬化材Ｃを充填、硬化させたのち、該硬化材Ｃに既設の連続直状孔１から直状に連通する孔１ｂを穿孔し、鉄筋コンクリート構造物Ａ内に所定長さの連続直状孔１を設けるものである。なお、被穿孔対象物が鉄筋コンクリート構造物Ａに限らず、岩盤であっても上記同様にしてこの岩盤中に連続直状孔１を穿孔することができる。
【００３４】
図８は鉄筋コンクリート構造物Ａ等の被穿孔対象物に上記連続直状孔１を穿設する場合のフローチャートであって、穿孔装置１０を使用して上述したように先端に切削ビット１２を装着しているロッド１１を回転、推進させながら被穿孔対象物に連続直状孔１の穿孔を開始し、所定長の連続直状孔１を穿設されると一旦穿孔を停止して該連続直状孔１の曲がりを測定し、曲がりが生じていない場合には穿孔を続行してロッド１１を継ぎ足しながら所定長まで連続直状孔１を穿設していく。
【００３５】
一方、連続直状孔１の穿孔中に曲がりが測定された場合には、ロッド１１を既設の連続直状孔１から引き抜いて先端に拡孔ビット２２を装着している中空ロッド２１を該連続直状孔１内に挿入し、曲がり部１ａを拡径掘削して拡大穿孔部Ｂを形成したのち、この拡大穿孔部Ｂ内に硬化材Ｃを充填、硬化させ、しかるのち、再び、連続直状孔１内にロッド１１を挿入し、先端切削ビット１２により硬化材Ｃを貫通して上記既設の連続直状孔１に直状に連通する連続直状孔１を穿設するものである。
【００３６】
以上の実施の形態においては、被穿孔対象物が鉄筋コンクリート構造物Ａである場合に、該鉄筋コンクリート構造物Ａに埋設されている鉄筋ａが計画穿孔線上に存在すると、ロッド１１の先端切削ビット１２によってこの鉄筋ａを切除しながら推進してその際に生じる孔の曲がり部１ａを一旦、形成しているが、このような曲がり部１ａが形成される前に、曲がり部１ａを生じさせる上記鉄筋ａの存在を検出してその鉄筋埋設部分を拡大、掘削してもよい。
【００３７】
図９はそのフローチャートを示すもので、穿孔装置１０を使用して上述したように先端に切削ビット１２を装着しているロッド１１を回転、推進させながら鉄筋コンクリート構造物Ａに連続直状孔１の穿孔を開始し、この連続直状孔１を穿設しながらロッド１１を推進中に、鉄筋ａの存在の有無、即ち、ロッド先端に装着している切削ビット１２が鉄筋に突き当たって一部を切削したかどうかを検出する。
【００３８】
この検出はロッド１１の推進力や回転トルクをロードセル等によって検知させることにより行われ、鉄筋ａの存在が検出されない場合には、そのまま、連続直状孔１の穿孔を継続して所定長まで連続直状孔１を穿設する一方、鉄筋ａの存在が検出されると、該鉄筋ａを切削ビット１２によって切除することなく、一旦、連続直状孔１の穿設を停止し、ロッド１１を連続直状孔１から引き抜いて先端に拡孔ビット２２を装着している中空ロッド２１を該連続直状孔１内に挿入し、この連続直状孔１から連続した拡大穿孔部Ｂを掘削させたのち、この拡大穿孔部Ｂ内に硬化材Ｃを充填、硬化させ、しかるのち、再び、連続直状孔１内にロッド１１を挿入し、先端切削ビット１２により硬化材Ｃを貫通して上記既設の連続直状孔１に直状に連通する連続直状孔１を穿設するものである。なお、上記穿設停止以降の作業は、鉄筋ａを切削ビット１２により切除した後に行ってもよい。
【００３９】
また、以上の実施の形態においては、連続直状孔１をコアチューブよりなるロッド１１、即ち、コアボーリングによって穿孔しているが、その他の穿孔手段を採用しても本発明を満足させることができるものであり、また、連続直状孔１は水平方向に限らず鉛直方向を含め、あらゆる角度でもって鉄筋コンクリート構造物や岩盤等の被穿孔対象物の穿孔に適用することができる。
【００４０】
【発明の効果】
以上のように本発明の請求項１に係る連続直状孔の穿孔方法によれば、穿孔装置によって被穿孔対象物に穿設される孔に曲がりが生じた場合に、その曲がり部を検知したのち該曲がり部を拡大穿孔してこの拡大穿孔部に硬化材を充填し、硬化材の硬化後に上記穿孔装置によって硬化材に既設の連続直状孔を延長する方向に孔を直状に穿設するものであるから、穿孔中に生じた孔の曲がり部を拡大穿孔してその曲がり部を無くした大径の拡大穿孔部内に硬化材を充填、硬化するので、連続直状孔を通じて穿孔装置によりこの硬化材を穿孔する際に、穿孔装置の外周面を均質な強度を有する硬化材によって支持させて曲がりを生じることなく連続直状孔を延長する直線方向に正確に且つ能率よく穿孔することができ、精度のよい所望長さの連続直状孔を形成することができる。
【００４１】
また、請求項２に係る発明によれば、被穿孔対象物が鉄筋コンクリート構造物であって、この鉄筋コンクリート構造物に穿孔装置により孔を連続直線状に穿設する際に、穿孔される連続直状孔上に埋設鉄筋の存在が検知された場合、この鉄筋埋設部を拡大穿孔して該拡大穿孔部に硬化材を充填し、硬化材の硬化後に上記穿孔装置によって硬化材に既設の連続直状孔を延長する方向に孔を直状に穿設することを特徴とするものであるから、連続直状孔を穿孔中に鉄筋が存在した場合には、穿孔装置の推進力やトルクが変動するので、外部からは全く確認することができないその鉄筋の存在位置を容易に且つ確実に検出することができものであり、従って、穿孔装置によって該鉄筋を切除することなく、この鉄筋埋設部の拡大穿孔作業を能率よく行うことができると共に、この該拡大穿孔部内に硬化材を充填、硬化するので、連続直状孔を通じて穿孔装置によりこの硬化材を穿孔する際に、上記のように穿孔装置の外周面が均質な強度を有する硬化材によって支持されて曲がりを生じることなく連続直状孔を延長する直線方向に正確に且つ能率よく穿孔することができるものである。
【図面の簡単な説明】
【図１】被穿孔対象物に連続直状孔を穿設している状態の簡略縦断側面図、
【図２】孔に曲がり部が生じた状態の孔の先端部分を縦断側面図、
【図３】拡孔ビットを備えた中空ロッドの先端部分の縦断側面図、
【図４】拡孔ビットを拡径させた状態の中空ロッドの先端部分の縦断側面図、
【図５】曲がり部に拡大穿孔部を形成した状態の縦断側面図、
【図６】硬化材を充填している状態の縦断側面図、
【図７】硬化材中に直状の孔を穿設している状態の縦断側面図、
【図８】本発明の実施の形態を説明するためのフローチャート、
【図９】本発明の別な実施の形態を説明するためのフローチャート。
【符号の説明】
Ａ　鉄筋コンクリート構造物
Ｂ　拡大穿孔部
Ｃ　硬化材
１　連続直状孔
１ａ　曲がり部
１０　穿孔装置
１１　ロッド
１２　切削ビット
２１　中空ロッド
２２　拡孔ビット
【図１】
2004009703.tif 000003
【図２】
2004009703.tif 000004
【図３】
2004009703.tif 000005
【図４】
2004009703.tif 000006
【図５】
2004009703.tif 000007
【図６】
2004009703.tif 000008
【図７】
2004009703.tif 000009
【図８】
2004009703.tif 000010
【図９】
2004009703.tif 000011